(57)【要約】【課題】汚れが溜まりにくい、あるいは清掃性を向上させることができる排水トラップの取付構造を提供する。【解決手段】洗い場面と、前記洗い場面よりも低い位置に設けられ、開口部が形成された排水凹部と、を有する洗い場床と、前記排水凹部の下に設けられ、前記排水凹部の開口部を通して流れてきた水を一時的に貯留可能なトラップ本体と、前記トラップ本体を前記排水凹部に固定する取付フランジと、前記トラップ本体の内部に挿入される筒状部と、前記筒状部の上において径外方向に延在した鍔部と、を有する封水筒と、を備え、前記排水凹部は、径内方向に延在した底面部と、前記底面部から上側に立ち上がった立ち面部と、を有し、前記封水筒は、前記鍔部が前記取付フランジを上側から覆うように取り付けられ、前記鍔部の先端部は、前記取付フランジよりも上側に位置する前記排水凹部の立ち面部に密接していることを特徴とする排水トラップの取付構造が提供される。【選択図】図２
2010121382.tif 000002
【特許請求の範囲】
【請求項１】
洗い場面と、前記洗い場面よりも低い位置に設けられ、開口部が形成された排水凹部と、を有する洗い場床と、
前記排水凹部の下に設けられ、前記排水凹部の開口部を通して流れてきた水を一時的に貯留可能なトラップ本体と、
前記トラップ本体を前記排水凹部に固定する取付フランジと、
前記トラップ本体の内部に挿入される筒状部と、前記筒状部の上において径外方向に延在した鍔部と、を有する封水筒と、
を備え、
前記排水凹部は、径内方向に延在した底面部と、前記底面部から上側に立ち上がった立ち面部と、を有し、
前記封水筒は、前記鍔部が前記取付フランジを上側から覆うように取り付けられ、
前記鍔部の先端部は、前記取付フランジよりも上側に位置する前記排水凹部の立ち面部に密接していることを特徴とする排水トラップの取付構造。
【請求項２】
前記排水凹部の立ち面部は、前記底面部に向かうにつれて開口が小さくなる傾斜部を有し、
前記鍔部の先端部は、前記傾斜部に密接していることを特徴とする請求項１記載の排水トラップの取付構造。
【請求項３】
前記鍔部の先端部の縦断面は、先細形状を有することを特徴とする請求項１または２に記載の排水トラップの取付構造。
【請求項４】
前記鍔部の先端部の外径は、前記傾斜部の上端部の内径よりも小さく、前記排水凹部の底面部の内径よりも大きいことを特徴とする請求項２記載の排水トラップの取付構造。
【請求項５】
前記鍔部は、前記筒状部から上側に向かうにつれて開口が大きくなるような傾斜部を有することを特徴とする請求項１〜４のいずれか１つに記載の排水トラップの取付構造。
【発明の詳細な説明】
【技術分野】
【０００１】
本発明の態様は、一般的に、排水トラップの取付構造に関し、具体的には浴室に取り付けられる排水トラップの取付構造に関する。
【背景技術】
【０００２】
浴室には、一般的に、下水側から室内側に悪臭や害虫類が侵入することを防止する排水トラップが設けられている。排水トラップ内には、排水された水（冷水のみならず、加熱されたお湯も含む）が封水として一時的に貯留されている。悪臭や害虫類は、下水側から排水管を通して室内側に侵入してきても、この封水に進路を阻まれるため、封水よりも室内側に侵入できない。そのため、これらの悪臭や害虫類が室内に侵入することを防止することができる。
【０００３】
そこで、防臭筒は上方及び下方が開口した円筒形状であり、筒上端部がフランジ部材と脱着自在で且つ水密的に係合し、更に係合時に下方の開口が封水室内に配置され、下方の開口の高さ位置を封水室の底面の高さ位置より高い位置に設けて成り、封水室の底面との間に流水部を形成して成る排水トラップがある（特許文献１）。
【０００４】
特許文献１に記載されたような排水トラップでは、一般的に、トラップ本体はフランジ部材により浴室の床面に取り付けられている。このとき、各部材の製造誤差や施工誤差に対応するために、フランジ部材の側端部と浴室の床面フランジ部材が取設される段差部との間には水平方向に隙間が形成されている。また、防臭筒は、浴室の床面には当接しておらず、フランジ部材の内面に固定されている。
【０００５】
しかしながら、フランジ部材と床面との間の水平方向の隙間には、排水された水が滞留しやすいため、汚れが溜まりやすい。さらに、それらの隙間を清掃することは、清掃用具などが入りにくいため容易ではない。
【特許文献１】特開２０００−８０６９５号公報
【発明の開示】
【発明が解決しようとする課題】
【０００６】
本発明の態様は、かかる課題の認識に基づいてなされたものであり、汚れが溜まりにくい、あるいは清掃性を向上させることができる排水トラップの取付構造を提供する。
【課題を解決するための手段】
【０００７】
本発明の一態様によれば、洗い場面と、前記洗い場面よりも低い位置に設けられ、開口部が形成された排水凹部と、を有する洗い場床と、前記排水凹部の下に設けられ、前記排水凹部の開口部を通して流れてきた水を一時的に貯留可能なトラップ本体と、前記トラップ本体を前記排水凹部に固定する取付フランジと、前記トラップ本体の内部に挿入される筒状部と、前記筒状部の上において径外方向に延在した鍔部と、を有する封水筒と、を備え、前記排水凹部は、径内方向に延在した底面部と、前記底面部から上側に立ち上がった立ち面部と、を有し、前記封水筒は、前記鍔部が前記取付フランジを上側から覆うように取り付けられ、前記鍔部の先端部は、前記取付フランジよりも上側に位置する前記排水凹部の立ち面部に密接していることを特徴とする排水トラップの取付構造が提供される。
【発明の効果】
【０００８】
本発明の態様によれば、汚れが溜まりにくい、あるいは清掃性を向上させることができる排水トラップの取付構造が提供される。
【発明を実施するための最良の形態】
【０００９】
第１の発明は、洗い場面と、前記洗い場面よりも低い位置に設けられ、開口部が形成された排水凹部と、を有する洗い場床と、前記排水凹部の下に設けられ、前記排水凹部の開口部を通して流れてきた水を一時的に貯留可能なトラップ本体と、前記トラップ本体を前記排水凹部に固定する取付フランジと、前記トラップ本体の内部に挿入される筒状部と、前記筒状部の上において径外方向に延在した鍔部と、を有する封水筒と、を備え、前記排水凹部は、径内方向に延在した底面部と、前記底面部から上側に立ち上がった立ち面部と、を有し、前記封水筒は、前記鍔部が前記取付フランジを上側から覆うように取り付けられ、前記鍔部の先端部は、前記取付フランジよりも上側に位置する前記排水凹部の立ち面部に密接していることを特徴とする排水トラップの取付構造である。  
この排水トラップの取付構造によれば、取付フランジは、封水筒により上側から覆い隠されているため、排水凹部に流れてきた水が、取付フランジと洗い場床の排水凹部との間に形成される隙間を流れることがない。また、封水筒の鍔部の先端部は、排水凹部に密接しているため、排水凹部に流れてきた水は、排水凹部と封水筒との間にほとんど滞留することなくトラップ本体に排水される。したがって、排水凹部と封水筒との間には、汚れが溜まりにくい。また、排水凹部や封水筒などの清掃性を向上させることができる。
【００１０】
また、第２の発明は、第１の発明において、前記排水凹部の立ち面部は、前記底面部に向かうにつれて開口が小さくなる傾斜部を有し、前記鍔部の先端部は、前記傾斜部に密接していることを特徴とする排水トラップの取付構造である。  
この排水トラップの取付構造によれば、封水筒の鍔部の先端部は、排水凹部の傾斜部に密接しているため、排水凹部から排水される水は、重力にしたがって排水凹部の傾斜部を流れる。そのため、排水凹部に流れてきた水は、排水凹部と封水筒との間により滞留することなくトラップ本体に排水される。
【００１１】
また、第３の発明は、第１または第２の発明において、前記鍔部の先端部の縦断面は、先細形状を有することを特徴とする排水トラップの取付構造である。  
この排水トラップの取付構造によれば、封水筒の鍔部の先端部は、先細形状を有するため、排水凹部と封水筒との間に段差が生じにくい。また、封水筒が可撓性を有する材料から形成されている場合には、鍔部の先端部は排水凹部の形状に沿うように撓むため、その先端部は排水凹部により密着する。そのため、排水凹部に流れてきた水は、排水凹部と封水筒との間により滞留することなくトラップ本体に排水される。
【００１２】
また、第４の発明は、第２の発明において、前記鍔部の先端部の外径は、前記傾斜部の上端部の内径よりも小さく、前記排水凹部の底面部の内径よりも大きいことを特徴とする排水トラップの取付構造である。  
この排水トラップの取付構造によれば、封水筒の鍔部の先端部は、排水凹部の上端部と下端部との間に載置されやすく、排水凹部により確実に密着する。
【００１３】
また、第５の発明は、第１〜第４のいずれか１つの発明において、前記鍔部は、前記筒状部から上側に向かうにつれて開口が大きくなるような傾斜部を有することを特徴とする排水トラップの取付構造である。  
この排水トラップの取付構造によれば、封水筒の鍔部の表面と、排水凹部の表面と、は滑らかに接続可能となり、排水凹部から排水される水は、重力にしたがって封水筒の傾斜部を流れる。そのため、排水凹部に流れてきた水は、排水凹部と封水筒との間にほとんど滞留することなくトラップ本体に排水される。
【００１４】
以下、本発明の実施の形態について図面を参照しつつ説明する。なお、各図面中、同様の構成要素には同一の符号を付して詳細な説明は適宜省略する。  
図１は、本発明の第１の実施の形態にかかる排水トラップが設置された浴室を例示する斜視模式図である。  
また、図２は、洗い場床に設けられた排水凹部の近傍を表す斜視模式図である。  
また、図３は、洗い場床に設けられた排水凹部の近傍を表す断面模式図である。なお、図３は、図１に表したＨ−Ｈ断面図に相当する。
【００１５】
図１に表した浴室は、浴槽１００と、エプロン２００と、洗い場床３００と、排水トラップ４００と、を備える。これらは、その周囲に設けられた図示しない壁面やドアによって画設された浴室内に配設されている。なお、壁面の一部に窓が設けられていてもよい。
【００１６】
洗い場床３００は、浴槽載置部３１０を有している。浴槽１００は、その浴槽載置部３１０に載置され、洗い場床３００に適宜固定されている。そして、浴槽１００の側面を覆い隠すように、エプロン２００が洗い場床３００と浴槽１００との間に設けられている。
【００１７】
洗い場床３００は、浴槽載置部３１０に隣接するように、洗い場面３２０を有している。また、洗い場床３００は、洗い場面３２０側であって浴槽１００およびエプロン２００の近傍に、排水凹部３３０を有している。排水凹部３３０は、図３に表したように、洗い場面３２０よりも低い位置に設けられている。また、排水凹部３３０の下端には、水を通すことができる開口部３３４が形成されている。さらに、排水凹部３３０は、水平方向であって径内方向に延在した底面部３３３と、その底面部３３３から上側に立ち上がった立ち面部３３２と、を有する。すなわち、底面部３３３の径内部において、開口部３３４が形成されている。なお、図１に表した浴室において、排水凹部３３０は、浴槽１００の長辺の中央部に設けられているが、浴槽１００の長辺と短辺とが交差した角部の近傍に設けられてもよい。
【００１８】
そして、例えば、使用者が洗い場面３２０の上において身体や髪などを洗い流した水は、この排水凹部３３０から排水トラップ４００を通して排水される。なお、本願明細書において「水」という場合には、冷水のみならず、加熱されたお湯も含むものとする。
【００１９】
立ち面部３３２の少なくとも一部には、下側に向かうにつれて開口面積が小さくなるような傾斜部３３１が形成されている。傾斜部３３１には、後に詳述するように、封水筒４３０が水密的に当接されている。そして、排水凹部３３０の傾斜部３３１と封水筒４３０との表面は、滑らかに接続されている。そのため、排水凹部３３０に流れてきた水は、排水凹部３３０と封水筒４３０との間にほとんど滞留することなく排水される。
【００２０】
したがって、排水凹部３３０と封水筒４３０との間には、汚れが溜まりにくい。また、排水凹部３３０の傾斜部３３１と封水筒４３０との表面は滑らかに接続されているため、排水凹部３３０や封水筒４３０などの清掃性を向上させることができる。以下、排水トラップ４００の取付構造について、図面を参照しつつ説明する。
【００２１】
図４は、本実施形態の排水トラップを分解して眺めた分解模式図である。  
また、図５は、本実施形態にかかる排水トラップの取付構造の断面を表す断面模式図である。  
なお、図５は、図２に表したＡ−Ａ断面図に相当する。
【００２２】
本実施形態の排水トラップ４００は、図４に表したように、トラップ本体４１０と、トラップ本体４１０を洗い場床３００の排水凹部３３０に固定させる取付フランジ４２０と、トラップ本体４１０の内部に挿入される封水筒４３０と、髪などの異物がトラップ本体４１０に流れることを抑制するヘアキャッチャー４６０と、を備える。なお、ヘアキャッチャー４６０は、必ずしも設けなくてもよい。
【００２３】
トラップ本体４１０の上部には、開口部４１１が設けられている。また、トラップ本体４１０の下部には、封水室４１３が設けられている。そして、洗い場床３００の排水凹部３３０の開口部３３４を通して流れてきた水は、この開口部４１１を通って封水室４１３に流れ込み、封水として一時的に貯留される。また、トラップ本体４１０には、浴槽１００から排水された水を封水室４１３に流入させる流入管４４０が接続されている。さらに、トラップ本体４１０には、封水室４１３の開口部４１５から溢れ出た水を排水させる排水管４５０が接続されている。
【００２４】
これによれば、悪臭や害虫類は、下水側から排水管４５０を通して浴室内側に侵入してきても、封水室４１３に貯留された封水に進路を阻まれるため、この封水よりも浴室内側に侵入できない。そのため、これらの悪臭や害虫類が浴室内に侵入することを防止することができる。
【００２５】
取付フランジ４２０は、その上端部において径外方向に延在した鍔部４２１を有する。また、その鍔部４２１の下側には、雄ねじ４２３が設けられている。そして、取付フランジ４２０の鍔部４２１と、トラップ本体４１０の上面４１９と、の間に排水凹部３３０の底面部３３３を挟設させ、取付フランジ４２０の雄ねじ４２３をトラップ本体４１０に設けられた雌ねじ４１７に螺合させて締め付けることにより、トラップ本体４１０を排水凹部３３０に取り付けることができる。
【００２６】
なお、取付フランジ４２０の鍔部４２１の下面には、すべりワッシャー４７０が付設されている。また、排水凹部３３０の底面部３３３には、パッキン４８０が取り付けられている。パッキン４８０は、例えばゴムなどの弾性を有する材質から形成されている。そのため、洗い場床３００の排水凹部３３０と、トラップ本体４１０と、は取付フランジ４２０を介してパッキン４８０により水密的に固定されている。
【００２７】
封水筒４３０は、上部において径外方向に延在した鍔部４３１と、トラップ本体４１０内に挿入される筒状部４３３と、を有する。より具体的には、封水筒４３０は、筒状部４３３から上側に向かうにつれて開口面積が大きくなるような傾斜部（鍔部）４３１を有する。筒状部４３３は、その下端部に設けられた開口部４３４が、トラップ本体４１０の底面４１４から所定距離だけ離間するようにして取付フランジ４２０に係合されている。そのため、洗い場床３００の排水凹部３３０内に流れてきた水は、傾斜部４３１から筒状部４３３の内部を通り、開口部４３４からトラップ本体４１０の封水室４１３に放出される。
【００２８】
封水筒４３０の傾斜部４３１の先端部４３１ａ（図６参照）の外径Ｄ１は、排水凹部３３０の傾斜部３３１の上端部３３５の内径Ｄ２よりも小さく、排水凹部３３０の底面部３３３の内径Ｄ３よりも大きい。そのため、封水筒４３０の傾斜部４３１の先端部４３１ａは、排水凹部３３０の傾斜部３３１の上端部３３５と底面部３３３との間に載置され、排水凹部３３０の傾斜部３３１に密接する。そして、封水筒４３０の傾斜部４３１と、排水凹部３３０の傾斜部３３１と、の表面は滑らかに接続される。
【００２９】
さらに、封水筒４３０は、取付フランジ４２０を上側から覆うように設けられている。そのため、図２に表したように、排水凹部３３０を上側から見た場合には、取付フランジ４２０を見ることはできない。つまり、取付フランジ４２０は、封水筒４３０により上側から覆い隠されている。
【００３０】
そのため、排水凹部３３０に流れてきた水は、排水凹部３３０の傾斜部３３１および封水筒４３０の傾斜部４３１に沿うように流れ、排水凹部３３０と封水筒４３０との間から取付フランジ４２０の方へ侵入するおそれは少ない。したがって、取付フランジ４２０と封水筒４３０との間や、取付フランジ４２０と排水凹部３３０との間に、排水された水が侵入するおそれは少ない。その結果、取付フランジ４２０と封水筒４３０との間や、取付フランジ４２０と排水凹部３３０との間には、汚れが溜まりにくい。
【００３１】
さらに、封水筒４３０の傾斜部４３１と、排水凹部３３０の傾斜部３３１と、の表面は滑らかに接続されているため、排水凹部３３０に流れてきた水は、排水凹部３３０と封水筒４３０との間にほとんど滞留することなく排水される。したがって、排水凹部３３０と封水筒４３０との間には、汚れが溜まりにくい。また、封水筒４３０の傾斜部４３１と、排水凹部３３０の傾斜部３３１と、の表面は滑らかに接続されているため、排水凹部３３０や封水筒４３０などの清掃性を向上させることができる。
【００３２】
次に、排水トラップ４００の取付構造について、図面を参照しつつ、さらに詳細に説明する。  
図６は、本実施形態の封水筒を表す平面模式図である。  
また、図７は、本実施形態の取付フランジの取付位置を拡大して眺めた拡大模式図である。
【００３３】
封水筒４３０は、図６に表したように、その外周部にパッキン４３８、４３９を有する。パッキン４３８、４３９は、図４および図５に関して前述したパッキン４８０と同様に、例えばゴムなどの弾性を有する材質から形成されている。また、封水筒４３０の外周部には、凸形状を有する係合部４３５が設けられている。この係合部４３５は、図６に表した平面視において、右上がりの形状を有し、その右端部には上方に突出した突起部４３５ａを有する。
【００３４】
一方、取付フランジ４２０の内面には、凸形状を有する係合部４２５が設けられている（図４参照）。ここで、封水筒４３０を取付フランジ４２０に挿入し、封水筒４３０の傾斜部４３１に設けられた把持部４３７（図４参照）を持って、図４に表した矢印Ｂの方向に回転させる。そうすると、取付フランジ４２０の係合部４２５は、図６に表した矢印Ｃのように、封水筒４３０の係合部４３５の上面を相対的に突起部４３５ａに向かって摺動する。
【００３５】
封水筒４３０の係合部４３５は、図６に表した平面視において、右上がりの形状を有しているため、取付フランジ４２０の係合部４２５が相対的に突起部４３５ａに向かって摺動するにつれて、取付フランジ４２０の係合部４２５から下側へ向かう力を受ける。すなわち、封水筒４３０は、図４に表した矢印Ｂの方向に回転するにつれて、下側へ向かう力を受ける。そして、取付フランジ４２０の係合部４２５が、封水筒４３０の突起部４３５ａに当接すると、封水筒４３０の矢印Ｂの方向への回転は停止する。
【００３６】
このとき、封水筒４３０の傾斜部４３１の先端部４３１ａは、図７に表したように、排水凹部３３０の傾斜部３３１に当接している。また、封水筒４３０の外周部に設けられたパッキン４３９は、排水凹部３３０の傾斜部３３１に当接している。そのため、封水筒４３０は、その傾斜部４３１の先端部４３１ａおよびパッキン４３９において、排水凹部３３０の傾斜部３３１に対して水密的に当接されている。
【００３７】
さらに、封水筒４３０の外周部に設けられたパッキン４３８は、排水凹部３３０に設けられた底面部３３３に当接している。排水凹部３３０の底面部３３３は、図７に表したように、洗い場面３２０よりも下側に設けられ、略水平形状を有しており、傾斜部３３１のようには傾斜していない。そのため、排水凹部３３０に対する封水筒４３０の上下方向の相対的位置は、封水筒４３０のパッキン４３８と、排水凹部３３０の底面部３３３と、が当接することにより決定される。
【００３８】
封水筒４３０の傾斜部４３１の先端部４３１ａの縦断面は、図７に表したように、先細形状を有する。そして、封水筒４３０は、例えばＡＢＳ（Acrylonitrile（アクリロニトリル）−Butadiene（ブタジエン）−Styrene（スチレン））などのような、ある程度の可撓性を有する樹脂から形成されている。そのため、先端部４３１ａは可撓性を有している。
【００３９】
これによれば、先端部４３１ａの縦断面は先細形状を有するため、排水凹部３３０と封水筒４３０との間に段差が生じにくい。また、先端部４３１ａは可撓性を有するため、封水筒４３０が取付フランジ４２０に係合されたときには、排水凹部３３０の傾斜部３３１に沿うように撓む。これにより、先端部４３１ａは、排水凹部３３０の傾斜部３３１により密着する。そのため、封水筒４３０の傾斜部４３１と、排水凹部３３０の傾斜部３３１と、の表面は滑らかに接続される。そして、図７に表したように、封水筒４３０は、取付フランジ４２０を上側から覆うように取り付けられる。
【００４０】
したがって、排水凹部３３０に流れてきた水は、排水凹部３３０の傾斜部３３１および封水筒４３０の傾斜部４３１に沿うように流れ、排水凹部３３０と封水筒４３０との間から取付フランジ４２０の方へ侵入するおそれは少ない。また、先端部４３１ａ近傍にはパッキン４３９が設けられているため、排水凹部３３０に流れてきた水が取付フランジ４２０の方へ侵入するおそれはより少ない。そのため、排水凹部３３０と封水筒４３０との間には、汚れが溜まりにくい。また、排水凹部３３０や封水筒４３０などの清掃性を向上させることができる。
【００４１】
一方、封水筒４３０は、パッキン４３８において、排水凹部３３０の底面部３３３に対して気密的に当接されている。これによれば、封水室４１３に貯留された封水と同様に、悪臭や害虫類が下水側から浴室内に侵入することを防止することができる。また、取付フランジ４２０と封水筒４３０との間や、取付フランジ４２０と排水凹部３３０との間には、汚れが溜まりにくい。つまり、排水凹部３３０の上側から見えない部分に対しても、汚れの付着を抑えることができる。
【００４２】
図８は、本実施形態の比較例にかかる排水トラップの取付構造の断面を表す断面模式図である。  
また、図９は、本比較例の取付フランジの取付位置を拡大して眺めた拡大模式図である。
【００４３】
本比較例にかかる排水トラップ６００は、本実施形態にかかる排水トラップ４００と同様に、トラップ本体６１０と、トラップ本体６１０を洗い場床５００の排水凹部５３０に固定させる取付フランジ６２０と、トラップ本体６１０の内部に挿入される封水筒６３０と、を備える。
【００４４】
取付フランジ６２０は、その上端部において径外方向に延在した鍔部６２１を有する。また、その鍔部６２１の下側には、雄ねじ６２３が設けられている。そして、取付フランジ６２０の鍔部６２１と、トラップ本体６１０の上面６１９と、の間に排水凹部５３０の下端部５３２を挟設させ、取付フランジ６２０の雄ねじ６２３をトラップ本体６１０に設けられた雌ねじ６１７に螺合させて締め付けることにより、トラップ本体６１０を排水凹部５３０に取り付けることができる。
【００４５】
一方、封水筒６３０は、取付フランジ６２０と同様に、その上端部において径外方向に延在した鍔部６３１を有する。そして、封水筒６３０は、その鍔部６３１がパッキン６３９を介して取付フランジ６２０の底面部６２５に載置された状態で、取付フランジ６２０に固定されている。
【００４６】
このとき、取付フランジ６２０の鍔部６２１は、図８および図９に表したように、洗い場床５００の排水凹部５３０には当接していない。つまり、取付フランジ６２０の鍔部６２１と、洗い場床５００の排水凹部５３０と、の間には隙間Ｅが存在する。そして、取付フランジ６２０の鍔部６２１の表面と、排水凹部５３０の表面と、は滑らかには接続されていない。これは、洗い場床５００や取付フランジ６２０やトラップ本体６１０などの製造誤差、あるいは洗い場床５００を設置したり、封水筒６３０をトラップ本体６１０に取り付ける際の施工誤差に対応するためである。
【００４７】
さらに、封水筒６３０は、図８および図９に表したように、取付フランジ６２０を上側から覆うようには設けられていない。つまり、封水筒６３０の鍔部６３１は、取付フランジ６２０の鍔部６２１よりも下側に設けられた底面部６２５に載置されている。そのため、排水凹部５３０を上側から見た場合に、取付フランジ６２０の少なくとも一部は露出している。
【００４８】
そのため、排水凹部５３０に流れてきた水の少なくとも一部は、排水凹部５３０と取付フランジ６２０との間の隙間Ｅに侵入して滞留する。そうすると、排水凹部５３０と取付フランジ６２０との間の隙間Ｅには、汚れが溜まりやすくなる。また、清掃用具などは隙間Ｅに入りにくいため、その隙間Ｅを清掃することは容易ではない。
【００４９】
次に、本発明の第２の実施の形態について、図面を参照しつつ説明する。  
図１０は、本発明の第２の実施の形態にかかる排水トラップが設置された浴室を例示する斜視模式図である。  
図１０に表した浴室は、浴槽１００と、エプロン２００と、洗い場床７００と、床パン８００と、排水トラップ４００と、を備える。床パン８００は、浴槽１００が載置される浴槽載置部８１０を有する。また、洗い場床７００は、洗い場面７２０を有する。つまり、図１に表した浴室では、洗い場床３００は、浴槽載置部３１０と洗い場面３２０とを有するが、一方で、図１０に表した浴室では、洗い場床７００は洗い場面７２０を有し、床パン８００は浴槽載置部８１０を有し、洗い場床７００と床パン８００とは別体として設けられている。
【００５０】
床パン８００は、図１０に表したように、開口部８２０を有する。これによれば、作業者などが床パン８００をユニットバスの施工空間に設置する際に、その開口部８２０から手など挿入することにより、図示しない支持脚の高さ調整や、配管の接続などを容易に行うことができる。
【００５１】
床パン８００は開口部８２０を有するため、この状態のままでは洗い場面が存在しない。そこで、本実施形態では、開口部８２０を上から覆うように、洗い場面７２０を有する洗い場床７００が設置されている。洗い場床７００は、図１０に表したように、浴槽１００とは反対側の端部に爪部７１０を有する。
【００５２】
爪部７１０は、図１０に表した矢印Ｆのようにして、床パン８００に設けられた図示しない凹部に嵌合される。これにより、浴槽１００とは反対側の洗い場床７００の端部は、床パン８００に固定される。一方、浴槽１００側の洗い場床７００の端部は、図１０に表したように、例えばねじなどの固定部材７０１により床パン８００に固定される。このようにして、洗い場床７００は、全体として床パン８００に固定される。
【００５３】
また、洗い場床７００は、図１に表した洗い場床３００と同様に、浴槽１００およびエプロン２００の近傍に、排水凹部７３０を有する。なお、図１０に表した排水凹部７３０は、浴槽１００の長辺の中央部に設けられているが、浴槽１００の長辺と短辺とが交差した角部の近傍に設けられてもよい。その他の構造については、図１に表した浴室の構造と同様である。
【００５４】
図１１は、本実施形態にかかる排水トラップの取付構造の断面を表す断面模式図である。  
また、図１２は、本実施形態の取付フランジの取付位置を拡大して眺めた拡大模式図である。  
なお、図１１は、図１０に表したＧ−Ｇ断面図に相当する。
【００５５】
取付フランジ４２０は、前述したように、その上端部において径外方向に延在した鍔部４２１を有する。また、その鍔部４２１の下側には、雄ねじ４２３が設けられている。そして、取付フランジ４２０の鍔部４２１と、トラップ本体４１０の上面４１９と、の間に床パン８００の下端部８３２を挟設させ、取付フランジ４２０の雄ねじ４２３をトラップ本体４１０に設けられた雌ねじ４１７に螺合させて締め付けることにより、トラップ本体４１０を床パン８００に取り付けることができる。
【００５６】
なお、取付フランジ４２０の鍔部４２１の下面には、すべりワッシャー４７０が付設されている。また、床パン８００の下端部８３２には、パッキン４８０が取り付けられている。パッキン４８０は、例えばゴムなどの弾性を有する材質から形成されている。そのため、床パン８００と、トラップ本体４１０と、は取付フランジ４２０を介してパッキン４８０により水密的に固定されている。
【００５７】
また、洗い場床７００の排水凹部７３０は、図３に表した排水凹部３３０と同様に、洗い場面７２０よりも低い位置に設けられている。また、排水凹部７３０の下端には、水を通すことができる開口部７３４が形成されている。さらに、排水凹部７３０は、水平方向であって径内方向に延在した底面部７３３と、その底面部７３３から上側に立ち上がった立ち面部７３２と、を有する。すなわち、底面部７３３の径内部において、開口部７３４が形成されている。立ち面部７３２の少なくとも一部には、下側に向かうにつれて開口面積が小さくなるような傾斜部７３１が形成されている。
【００５８】
底面部７３３は、取付フランジ４２０の鍔部４２１の上面に載置されている。つまり、本実施形態の洗い場床７００の排水凹部７３０は、取付フランジ４２０の鍔部４２１と、トラップ本体４１０の上面４１９と、の間には挟設されていない。一方、本実施形態の床パン８００の下端部８３２は、取付フランジ４２０の鍔部４２１と、トラップ本体４１０の上面４１９と、の間に挟設されている。
【００５９】
傾斜部４３１の先端部４３１ａの外径Ｄ１は、排水凹部７３０の傾斜部７３１の上端部７３５の内径Ｄ４よりも小さく、排水凹部７３０の底面部７３３の内径Ｄ５よりも大きい。そのため、封水筒４３０の傾斜部４３１の先端部４３１ａは、排水凹部７３０の傾斜部７３１の上端部７３５と底面部７３３との間に載置され、排水凹部７３０の傾斜部７３１に当接している。
【００６０】
また、封水筒４３０の外周部に設けられたパッキン４３９は、排水凹部７３０の傾斜部７３１に当接している。そのため、封水筒４３０は、その傾斜部４３１の先端部４３１ａおよびパッキン４３９において、排水凹部７３０の傾斜部７３１に対して水密的に当接されている。そして、封水筒４３０の傾斜部４３１と、排水凹部７３０の傾斜部７３１と、の表面は滑らかに接続されている。
【００６１】
さらに、封水筒４３０の外周部に設けられたパッキン４３８は、排水凹部７３０に設けられた底面部７３３に当接している。排水凹部７３０の底面部７３３は、略水平形状を有しており、傾斜部７３１のようには傾斜していない。そのため、排水凹部７３０に対する封水筒４３０の上下方向の相対的位置は、封水筒４３０のパッキン４３８と、排水凹部７３０の底面部７３３と、が当接することにより決定される。
【００６２】
そして、封水筒４３０は、取付フランジ４２０を上側から覆うように設けられている。そのため、排水凹部７３０を上側から見た場合に、取付フランジ４２０を見ることはできない。つまり、取付フランジ４２０は、封水筒４３０により上側から覆い隠されている。なお、その他の構造については、図１〜図７に関して前述した構造と同様である。
【００６３】
これによれば、封水筒４３０の傾斜部４３１と、排水凹部７３０の傾斜部７３１と、の表面は滑らかに接続されているため、排水凹部７３０に流れてきた水は、排水凹部７３０と封水筒４３０との間にほとんど滞留することなく排水される。したがって、排水凹部７３０と封水筒４３０との間には、汚れが溜まりにくい。また、封水筒４３０の傾斜部４３１と、排水凹部７３０の傾斜部７３１と、の表面は滑らかに接続されているため、排水凹部７３０や封水筒４３０などの清掃性を向上させることができる。また、その他の効果についても、図１〜図７に関して前述した効果と同様の効果を得ることができる。
【図面の簡単な説明】
【００６４】
【図１】本発明の第１の実施の形態にかかる排水トラップが設置された浴室を例示する斜視模式図である。
【図２】洗い場床に設けられた排水凹部の近傍を表す斜視模式図である。
【図３】洗い場床に設けられた排水凹部の近傍を表す断面模式図である。
【図４】本実施形態の排水トラップを分解して眺めた分解模式図である。
【図５】本実施形態にかかる排水トラップの取付構造の断面を表す断面模式図である。
【図６】本実施形態の封水筒を表す平面模式図である。
【図７】本実施形態の取付フランジの取付位置を拡大して眺めた拡大模式図である。
【図８】本実施形態の比較例にかかる排水トラップの取付構造の断面を表す断面模式図である。
【図９】本比較例の取付フランジの取付位置を拡大して眺めた拡大模式図である。
【図１０】本発明の第２の実施の形態にかかる排水トラップが設置された浴室を例示する斜視模式図である。
【図１１】本実施形態にかかる排水トラップの取付構造の断面を表す断面模式図である。
【図１２】本実施形態の取付フランジの取付位置を拡大して眺めた拡大模式図である。
【符号の説明】
【００６５】
１００ 浴槽、  ２００ エプロン、  ３００ 洗い場床、  ３１０ 浴槽載置部、  ３２０ 洗い場面、  ３３０ 排水凹部、  ３３１ 傾斜部、  ３３２ 立ち面部、  ３３３ 底面部、  ３３４ 開口部、  ３３５ 上端部、  ４００ 排水トラップ、  ４１０ トラップ本体、  ４１１ 開口部、  ４１３ 封水室、  ４１４ 底面、  ４１５ 開口部、  ４１７ 雌ねじ、  ４１９ 上面、  ４２０ 取付フランジ、  ４２１ 鍔部、  ４２３ 雄ねじ、  ４２５ 係合部、  ４３０ 封水筒、  ４３１ 傾斜部（鍔部）、  ４３１ａ 先端部、  ４３３ 筒状部、  ４３４ 開口部、  ４３５ 係合部、  ４３５ａ 突起部、  ４３７ 把持部、  ４３８、４３９ パッキン、  ４４０ 流入管、  ４５０ 排水管、  ４６０ ヘアキャッチャー、  ４７０ すべりワッシャー、４８０ パッキン、  ５００ 洗い場床、  ５３０ 排水凹部、  ５３２ 下端部、  ６００ 排水トラップ、  ６１０ トラップ本体、  ６１７ 雌ねじ、  ６１９ 上面、  ６２０ 取付フランジ、  ６２１ 鍔部、  ６２３ 雄ねじ、  ６２５ 底面部、  ６３０ 封水筒、  ６３１ 鍔部、  ６３９ パッキン、  ７００ 洗い場床、  ７０１ 固定部材、  ７１０ 爪部、  ７２０ 洗い場面、  ７３０ 排水凹部、  ７３１ 傾斜部、  ７３２ 立ち面部、  ７３３ 底面部、  ７３４ 開口部、  ７３５ 上端部、  ８００ 床パン、  ８１０ 浴槽載置部、  ８２０ 開口部、  ８３２ 下端部
【図１】
2010121382.tif 000003
【図２】
2010121382.tif 000004
【図３】
2010121382.tif 000005
【図４】
2010121382.tif 000006
【図５】
2010121382.tif 000007
【図６】
2010121382.tif 000008
【図７】
2010121382.tif 000009
【図８】
2010121382.tif 000010
【図９】
2010121382.tif 000011
【図１０】
2010121382.tif 000012
【図１１】
2010121382.tif 000013
【図１２】
2010121382.tif 000014